(57)【要約】【課題】天窓からの採光効率の向上を図りながら、上階の設計上の自由度の向上を図ることができる建物を提供することを目的とする。【解決手段】複数の階層Ｆ１，Ｆ２，Ｆ３を備えた建物Ｔであって、下階外周壁２と、２階Ｆ２の直上の階である３階Ｆ３において、下階外周壁２よりも内側に後退して設けられた後退壁４と、後退壁４の下部４ｋと下階外周壁２の上部２ｐとの間に設けられた天窓５と、後退壁４に連続し、且つ天窓５よりも下方に設けられた内装壁６と、２階Ｆ２における天窓５の下方に設けられた吹き抜け部２２と、内装壁６の天窓５側の表面に形成された面状の反射部７と、を備えている。【選択図】図５
2017002491.tif 000002
【特許請求の範囲】
【請求項１】
複数の階層を備えた建物であって、
下階の外周壁と、
前記下階の直上の階である上階において、前記下階の外周壁よりも内側に後退して設けられた後退壁と、
前記後退壁の下部と前記下階の外周壁の上部との間に設けられた天窓と、
前記後退壁に連続し、且つ前記天窓よりも下方に設けられた内装壁と、
前記下階における前記天窓の下方に設けられた下階空間と、
前記内装壁の前記天窓側の表面に形成された面状の反射部と、を備えたことを特徴とする建物。
【請求項２】
前記天窓は前記後退壁から前記外周壁にかけて傾斜しており、
前記天窓の前記外周壁側は、前記天窓の前記後退壁側よりも低いことを特徴とする請求項１記載の建物。
【請求項３】
前記外周壁は、前記反射部で反射した光が到達可能な採光エリアを有し、
前記採光エリアの全てに、窓を有さない無窓部が形成されていることを特徴とする請求項１または２記載の建物。
【請求項４】
前記下階空間は、前記内装壁を挟んで前記採光エリアから離れる方向に広がっていることを特徴とする請求項３記載の建物。
【発明の詳細な説明】
【技術分野】
【０００１】
本発明は、複数の階層を備えた建物に関する。
【背景技術】
【０００２】
屋根に天窓が設けられた建物が知られている。例えば、特許文献１には、建物の平屋根に開閉可能な天窓が設けられた建物が開示されている。
【先行技術文献】
【特許文献】
【０００３】
【特許文献１】特開２００７−１３８６９３号公報
【発明の概要】
【発明が解決しようとする課題】
【０００４】
天窓から下方の居室に光を採り込む場合、居室の中央上方に天窓を配置する方が居室全体に効率良く光を採り込むことができる。しかしながら、天窓が設けられた居室の上に更に上階を設ける必要がある場合には、設計上、天窓が上階の邪魔になるため、天窓の位置を脇にずらすか、上階のレイアウトに制限を加える必要が生じる。したがって、従来の天窓を備えた建物では、天窓からの採光効率の向上と上階の設計上の自由度の向上とを両立することが難しかった。
【０００５】
本発明は、以上の解題を解決することを目的としており、天窓からの採光効率の向上を図りながら、上階の設計上の自由度の向上を図ることができる建物を提供することを目的とする。
【課題を解決するための手段】
【０００６】
本発明は、複数の階層を備えた建物であって、下階の外周壁と、下階の直上の階である上階において下階の外周壁よりも内側に後退して設けられた後退壁と、後退壁の下部と下階の外周壁の上部との間に設けられた天窓と、後退壁に連続し、且つ天窓よりも下方に設けられた内装壁と、下階における天窓の下方に設けられた下階空間と、内装壁の天窓側の表面に形成された面状の反射部と、を備えたことを特徴とする。
【０００７】
この建物では、下階の外周壁から内側に後退した位置に後退壁が設けられており、天窓は、後退壁の下部と下階の外周壁の上部との間に設けられている。つまり、天窓は上階となるエリアを避けるように、後退壁と下階の外周壁との間に設けられており、例えば、天窓が上階の中央に設けられている場合に比べ、上階の設計上の自由度が向上する。一方で、天窓から入射する光は、その光の入射角にもよるが、後退壁の下方に設けられた内装壁の反射部で反射され、更に下階の外周壁の内面側で反射されて居室内の広い範囲に行き渡り易くなる。特に、高度の高い位置から天窓を通して射し込む光は、内装壁や反射部が無ければ、天窓下方の狭い範囲を照らす光になり易いところ、この建物では、反射板で反射させることにより、居室内の広い範囲に光を行き渡らせ易くなり、採光効率の向上に有利である。以上より、この建物によれば、天窓からの採光効率の向上を図りながら、上階の設計上の自由度を向上させることができる。
【０００８】
さらに、天窓は後退壁から下階の外周壁にかけて傾斜しており、天窓の下階の外周壁側は、天窓の後退壁側よりも低いと好適である。天窓は、上階とは反対側である下階の外周壁側が低くなるように傾斜しているので、太陽の高度が低く、すなわち、入射角の低い光であっても、水平に配置された天窓に比べて効果的に採り込むことができ、更に採り込んだ光を反射部で反射させて天窓の真下にも到達させ易くなる。
【０００９】
さらに、下階の外周壁は、反射部で反射した光が到達可能な採光エリアを有し、採光エリアの全てに、窓を有さない無窓部が形成されていると好適である。反射部で反射した光は、更に、採光エリアで反射することで下階空間内に到達する。ここで、採光エリアに窓があると、採光エリアでの反射が不安定になったり、また下階空間を照らすほどの十分な反射光が得られなかったりする可能性がある。しかしながら、上記建物では、採光エリアの全てに、窓を有さない無窓部が形成されているので、採光エリアでの反射が安定し、採光効率の向上に有利である。
【００１０】
さらに、下階空間は、内装壁を挟んで採光エリアから離れる方向に広がっていると好適である。採光エリアで反射した光は、内装壁を挟んで採光エリアから離れる方向に広がる。したがって、この方向に下階空間を広げるのであれば、他の方向に広げる場合に比べ、採光エリアで反射した光を効果的に利用して下階空間の広い範囲を照らし易くなる。
【発明の効果】
【００１１】
本発明に係る建物によれば、天窓からの採光効率の向上を図りながら、上階の設計上の自由度の向上を図ることができる。
【図面の簡単な説明】
【００１２】
【図１】本発明の第１の実施形態に係る建物の斜視図である。
【図２】本実施形態に係る建物の平面図である。
【図３】図２のＩＩＩ−ＩＩＩ線に沿った断面図である。
【図４】図２のＩＶ−ＩＶ線に沿った断面図である。
【図５】天窓を拡大して示す断面図である。
【図６】本実施形態に係る建物を都市型の住宅として採用した態様を例示する側面図である。
【発明を実施するための形態】
【００１３】
以下、本発明に係る実施の形態について図面を参照しながら具体的に説明する。便宜上、実質的に同一の要素には同一の符号を付し、その説明を省略する場合がある。
【００１４】
図１、図２、図３、及び図４に示されるように、建物Ｔは、３階建て（複数の階層）の工業化住宅（標準化住宅ともいう）であり、１階Ｆ１には居室部（以下、「下階居室」という）１１、２階Ｆ２には居室部２１及び吹き抜け部２２、そして３階Ｆ３には居室部（以下、「上階居室」という）３１及びベランダ３２がそれぞれ設けられている。下階居室１１には、居間１２、及びダイニングキッチン（図示省略）が設けられており、居間１２と吹き抜け部２２との間にスラブが存在せず、互いに連通している。なお、本実施形態では、吹き抜け部２２及び吹き抜け部２２に連通する下階居室１１は下階空間に相当する。
【００１５】
１階Ｆ１、及び２階Ｆ２は、それぞれ平面視で略矩形状に形成された１階Ｆ１側の外周壁１及び２階Ｆ２側の外周壁２によって囲まれている、以下、特に、２階Ｆ２側の外周壁２は下階の外周壁に相当し、以下、「下階外周壁」という。
【００１６】
３階Ｆ３の上階居室３１は、外周壁（以下、「上階外周壁」という）３によって囲まれている。ベランダ３２は、２階Ｆ２の直上且つ上階外周壁３の外側に設けられており、その周囲には転落防止のための腰壁４ｂや側壁等が巡らされている。上階外周壁３は、下階外周壁２の一周全てに対して連続して立ち上がっているのではなく、ベランダ３２の領域、及び腰壁４ｂに連続する一部領域は、下階外周壁２から内側にずれて立ち上っている。腰壁４ｂに連続する一部領域は外周壁後退部４ａである。本実施形態では、ベランダ３２の腰壁４ｂ及び外周壁後退部４ａは、下階外周壁２よりも内側に後退しており、後退壁４を形成している。後退壁４は、吹き抜け部２２の上方に設けられている。
【００１７】
建物Ｔは、後退壁４の下部４ｋと下階外周壁２の上部２ｐとの間に設けられた天窓５と、後退壁４に連続し、且つ天窓５よりも下方に設けられた内装壁６とを備えている。内装壁６は、１階Ｆ１及び２階Ｆ２の天井部１ａに接続されている。なお、本実施形態に係る内装壁６は、後退壁４を構成する壁パネルにおける天窓５よりも下方の領域の表面に、吹き抜け部２２の天井部１ａに連続するように下地面を形成し、吹き抜け部２２の天井部１ａや壁と同一の内装仕上げを施したもの（例えば同一の壁紙を貼着したもの）であるが、内装壁６が吹き抜け部２２の天井面よりも下方に突出した形態（垂れ壁状）であってもよい。
【００１８】
内装壁６は、下階外周壁２の室内面に対向して配置されており、内装壁６の天窓５側の表面には、面状の反射部７が設けられている。反射部７は、壁紙などが貼られて仕上げ処理が施された内装壁６よりも反射率が高い部材であればよく、例えば、ステンレスミラーなどの鏡面を有する板状の部材が好ましい。
【００１９】
図５に示されるように、天窓５は、下階外周壁２、及び上階外周壁３に固定された窓枠５ａに板ガラス５ｂが嵌め込まれたガラス窓（「サッシ窓」ともいう）である。天窓５は、後退壁４から下階外周壁２にかけて傾斜しており、天窓５の下階外周壁２側は後退壁４側よりも低くなっている。なお、天窓５は、採光可能な態様であれば、他の形態であっても良く、開閉可能であっても良い。
【００２０】
天窓５から入射する光ＳＬは、内装壁６の反射部７で反射され、更に下階外周壁２の内面側で反射されて吹き抜け部２２を照らし、更に吹き抜け部２２を介して下階居室１１内を照らす。下階外周壁２の内面のうち、反射部７で反射された反射光Ｌａが到達可能なエリア（以下、「採光エリア」という）Ａｒは、天窓５や反射部７の形状、大きさ、配置、更に反射部７と下階外周壁２との距離等により、建物Ｔの設計段階で特定できる。採光エリアＡｒには、サッシ等の窓は設けられておらず、白色あるいは白色に近い淡色系の壁紙等によって仕上げ処理の施された無窓部２ａが設けられている。つまり、採光エリアＡｒの全てには、窓を有さない無窓部２ａが設けられている。
【００２１】
以上、本実施形態に係る建物Ｔの上階外周壁３には、下階外周壁２から内側に後退した後退壁４が設けられており、天窓５は、後退壁４の下部４ｋと下階外周壁２の上部２ｐとの間に設けられている。つまり、天窓５は、３階（上階）Ｆ３となるエリアを避けるように、後退壁４と下階外周壁２との間に設けられている。その結果、例えば、天窓５が３階Ｆ３の中央に設けられている場合に比べ、３階Ｆ３の設計上の自由度が向上する。一方で、天窓５から入射する光ＳＬは、その光ＳＬの入射角にもよるが、後退壁４の下方に設けられた内装壁６の反射部７で反射され、更に下階外周壁２の内面側で反射されて吹き抜け部２２、及び下階居室１１内の広い範囲に行き渡り易くなる。その結果、建物Ｔによれば、天窓５からの採光効率の向上を図りながら、３階Ｆ３の設計上の自由度を向上させることができる。
【００２２】
特に、建物Ｔは、住宅が密集した都市型の住宅の場合に有利である。都市型の住宅の場合、建物Ｔと、その両隣の建物１００，１０１との間の距離は非常に狭くなる（図６参照）。つまり、高度の低い位置からの光ＳＬは隣の建物Ｔによって遮られ易いので、天窓５を通して射し込む光ＳＬは、実質的に高度の高い位置からの光ＳＬが多くなる。この場合、内装壁６及び反射部７が無ければ、天窓５の下方の狭い範囲を照らす光になり易いところ、本実施形態に係る建物Ｔでは、反射部７で反射させ、更に採光エリアＡｒで反射させることにより、その反射光Ｌｂ（図５参照）を下階居室１１内の広い範囲に行き渡らせ易くなり、採光効率の向上に有利である。
【００２３】
さらに、図５に示されるように、本実施形態に係る天窓５は、３階Ｆ３とは反対側である下階外周壁２側が低くなるように傾斜している。その結果、太陽の高度が低く、すなわち、入射角の低い光ＳＬであっても、水平に配置された天窓に比べて効果的に採り込むことができ、更に採り込んだ光ＳＬを反射部７で反射させて天窓５の真下にも到達させ易くなる。
【００２４】
さらに、下階外周壁２は、採光エリアＡｒを有し、採光エリアＡｒの全てには、非窓部である無窓部２ａが設けられている。反射部７で反射した反射光Ｌａは、更に、採光エリアＡｒで反射して反射光Ｌｂとなり、その反射光Ｌｂは下階居室１１内に広く到達する。ここで、採光エリアＡｒに窓部があると、採光エリアＡｒでの反射が不安定になったり、また下階居室１１を照らすほどの十分な反射光が得られなかったりする可能性がある。しかしながら、採光エリアＡｒの全てに、窓を有さない無窓部２ａを設けることで、採光エリアＡｒでの反射が安定し、採光効率の向上に有利である。
【００２５】
また、下階居室１１は、天窓５の下方に吹き抜け部２２があり、この吹き抜け部２２は、内装壁６を挟んで採光エリアＡｒから離れる方向Ｄに広がっている。採光エリアＡｒで反射した反射光Ｌｂは、内装壁６を挟んで採光エリアＡｒから離れる方向に広がる。つまり、この方向に下階居室１１を広げるのであれば、他の方向に広げる場合に比べ、採光エリアＡｒで反射した反射光Ｌｂを効果的に利用して吹き抜け部２２、及び下階居室１１の広い範囲を照らし易くなる。
【００２６】
なお、採光エリアＡｒで反射した反射光Ｌｂを効果的に利用するため、採光エリアＡｒには乱反射を促す仕上げ処理が施されていることが望ましく、反射部７からの反射光Ｌａの入射角が変化しても、下階居室１１の奥側、つまり水平方向の反射光Ｌｂを形成できる乱反射部材（壁紙等）が設けられた無窓部２ａが望ましい。
【００２７】
以上、本発明を実施形態に基づき説明したが、本発明は上記の実施形態のみには限定されない。例えば、本実施形態では、上階外周部の一部を後退壁とした例を説明したが、上階外周部の全体を下階外周部よりも内側に後退させ、その結果、上階外周部の全体を後退壁としても良い。
【符号の説明】
【００２８】
Ｔ…建物、１…１階の外周壁、２…下階外周壁（下階の外周壁）、２ａ…無窓部、２ｐ…２階外周壁の上部、３…３階外周壁、４…後退壁、４ｋ…後退壁の下部、５…天窓、６…内装壁、７…反射部、１１…下階居室（下階空間）、２２…吹き抜け部（下階空間）、Ａｒ…採光エリア、Ｄ…採光エリアから離れる方向、Ｆ１…１階、Ｆ２…２階（下階）、Ｆ３…３階（上階）。
【図１】
2017002491.tif 000003
【図２】
2017002491.tif 000004
【図３】
2017002491.tif 000005
【図４】
2017002491.tif 000006
【図５】
2017002491.tif 000007
【図６】
2017002491.tif 000008